(57)【特許請求の範囲】
【請求項１】
工事現場において撮影された現場写真を管理する管理サーバと、
前記管理サーバと通信ネットワークを通じて接続可能な携帯端末であり、前記管理サーバに対して認証要求を行い、前記管理サーバによる認証により当該携帯端末を操作するユーザが真正なユーザであることが確認された後に撮影された現場写真の写真画像に、現場情報をメタ情報として埋め込んで前記管理サーバに送信した後、前記写真画像を自動的に削除する機能を有する携帯端末と
を含む現場管理システム。
【請求項２】
前記現場情報は、工事現場の位置情報および工事現場に関する諸情報を含むものである請求項１記載の現場管理システム。
【請求項３】
前記管理サーバと通信ネットワークを通じて接続可能な閲覧端末を含み、
前記管理サーバは、前記閲覧端末からの前記写真画像の閲覧要求に対して前記写真画像を表示する写真画像表示画面を生成し、生成した写真画像表示画面を前記閲覧端末に提供するものである請求項１または２に記載の現場管理システム。
【請求項４】
前記管理サーバと通信ネットワークを通じて接続可能な管理端末を含み、
前記管理サーバは、前記管理端末からの報告書作成要求に対して、前記写真画像および当該写真画像に埋め込まれた現場情報を組み合わせた報告書を表示する報告書表示画面を生成し、生成した報告書表示画面を前記管理端末に提供するものである請求項１から３のいずれかに記載の現場管理システム。
【請求項５】
前記通信ネットワークは、インターネットから遮断された公衆閉域ネットワークである請求項１から４のいずれかに記載の現場管理システム。
【請求項６】
工事現場において撮影された現場写真を管理する管理サーバと、
前記管理サーバと通信ネットワークを通じて接続可能な携帯端末を、前記管理サーバに対して認証要求を行い、前記管理サーバによる認証により当該携帯端末を操作するユーザが真正なユーザであることが確認された後に撮影された現場写真の写真画像に、現場情報をメタ情報として埋め込んで前記管理サーバに送信した後、前記写真画像を自動的に削除する手段として機能させるための携帯端末用プログラムと
を含む現場管理システム。
【発明の詳細な説明】
【技術分野】
【０００１】
本発明は、工事現場における安全管理を支援する現場管理システムに関する。
【背景技術】
【０００２】
工事現場における安全管理のため、現場写真を撮影し、報告書を作成することが行われている。例えば、特許文献１に記載の工事現場の労務管理システムでは、デジタルカメラで工事現場の現場写真を撮影するとともに、工事現場における危険ポイントが記載された危険予知シートを撮影し、かつ工事現場への入退場時に入退場管理カードを撮影し、ＡＳＰサーバに送信すると、ＡＳＰサーバが、危険予知シートの画像データから工事現場名を表すデータおよび工事名を表すデータを抽出し、入退場管理カードの画像データから工事施工者を表すデータを抽出し、撮影時刻のデータから入退場時刻を表すデータを抽出して労務管理ファイルを作成し、管理端末に送信する。
【０００３】
また、特許文献２に記載の建設現場安全管理システムでは、携帯電話により安全管理センターのセンターサーバのＷｅｂサーバにログインすると、このログインにより作業者が特定され、携帯ＧＰＳで特定された作業場所が設定される。また、作業車は、点検フォーマット種別を選択し、点検しながら、チェックリストに記入し、必要に応じて写真を携帯電話のカメラで撮影し、Ｗｅｂ画面の指示に基づき、報告書を作成し、センター送信すると、報告書のデータがセンターサーバによりデータベースに登録される。
【先行技術文献】
【特許文献】
【０００４】
【特許文献１】特開２０１２−８４１１０号公報
【特許文献２】特開２０１１−１０８０３１号公報
【発明の概要】
【発明が解決しようとする課題】
【０００５】
ところで、工事現場における安全管理のために撮影する写真は、個人の姿や工事の状況等のプライバシーや企業秘密に関わる機微なものが多い。しかしながら、上記従来のシステムでは、工事現場で撮影した写真はデジタルカメラや携帯電話等の端末に保存されるため、これらの端末を紛失した場合、情報が漏洩する恐れがある。また、情報が漏洩した場合には、情報の改ざんの危険性も高まることになる。
【０００６】
そこで、本発明においては、工事現場における安全管理のために撮影した写真を漏洩させることなく、安全管理を行うことが可能な現場管理システムを提供することを目的とする。
【課題を解決するための手段】
【０００７】
本発明の現場管理システムは、工事現場において撮影された現場写真を管理する管理サーバと、管理サーバと通信ネットワークを通じて接続可能な携帯端末であり、撮影された写真画像に現場情報をメタ情報として埋め込んで管理サーバに送信した後、写真画像を自動的に削除する機能を有する携帯端末とを含むものである。
【０００８】
本発明の現場管理システムによれば、工事現場において携帯端末により現場写真を撮影すると、撮影された写真画像に現場情報がメタ情報として埋め込まれて管理サーバに送信された後、携帯端末内の写真画像が自動的に削除される。これにより、現場写真は携帯端末内には一切残らず、現場情報と一体不可分の状態で管理サーバによって厳重に管理することができる。
【０００９】
ここで、現場情報は、工事現場の位置情報および工事現場に関する諸情報を含むものであることが望ましい。これにより、工事現場において携帯端末により現場写真を撮影すると、撮影された写真画像に現場情報として工事現場の位置情報および工事現場に関する諸情報が一体不可分となって管理サーバに送信され、厳重に管理される。
【００１０】
また、本発明の現場管理システムは、管理サーバと通信ネットワークを通じて接続可能な閲覧端末を含み、管理サーバは、閲覧端末からの写真画像の閲覧要求に対して写真画像を表示する写真画像表示画面を生成し、生成した写真画像表示画面を閲覧端末に提供するものであることが望ましい。これにより、閲覧端末からの写真画像の閲覧要求に対して、管理サーバは現場情報が埋め込まれたオリジナルの写真画像そのものを提供することなく、写真画像を表示する写真画像表示画面が生成されて提供される。
【００１１】
また、本発明の現場管理システムは、管理サーバと通信ネットワークを通じて接続可能な管理端末を含み、管理サーバは、管理端末からの報告書作成要求に対して、写真画像および当該写真画像に埋め込まれた現場情報を組み合わせた報告書を表示する報告書表示画面を生成し、生成した報告書表示画面を管理端末に提供するものであることが望ましい。これにより、管理端末からの報告書作成要求に対して、管理サーバは現場情報が埋め込まれたオリジナルの写真画像そのものを提供することなく、写真画像および当該写真画像に埋め込まれた現場情報を組み合わせた報告書を表示する報告書表示画面が作成されて提供される。
【００１２】
また、通信ネットワークは、インターネットから遮断された公衆閉域ネットワークであることが望ましい。これにより、管理サーバと携帯端末、閲覧端末や管理端末等との通信が安全に行われるので、外部への漏洩が防止される。
【００１３】
また、本発明の現場管理システムは、工事現場において撮影された現場写真を管理する管理サーバと、管理サーバと通信ネットワークを通じて接続可能な携帯端末を、撮影された写真画像に現場情報をメタ情報として埋め込んで管理サーバに送信した後、写真画像を自動的に削除する手段として機能させるための携帯端末用プログラムとを含むものである。
【００１４】
本発明に係る携帯端末用プログラムを携帯端末上で実行し、この携帯端末により工事現場において現場写真を撮影すると、撮影された写真画像に現場情報がメタ情報として埋め込まれて管理サーバに送信された後、携帯端末内の写真画像が自動的に削除される。これにより、現場写真は携帯端末内には一切残らず、現場情報と一体不可分の状態で管理サーバによって厳重に管理することができる。
【発明の効果】
【００１５】
（１）工事現場において撮影された現場写真を管理する管理サーバと、管理サーバと通信ネットワークを通じて接続可能な携帯端末であり、撮影された写真画像に現場情報をメタ情報として埋め込んで管理サーバに送信した後、写真画像を自動的に削除する機能を有する携帯端末とを含む構成により、撮影された写真画像に現場情報がメタ情報として埋め込まれて管理サーバに送信された後、携帯端末内の写真画像が自動的に削除されるので、現場写真は携帯端末内には一切残らず、現場情報と一体不可分の状態で管理サーバによって厳重に管理され、携帯端末が紛失したとしても情報の漏洩や改ざんを防止することができる。
【００１６】
（２）管理サーバと通信ネットワークを通じて接続可能な閲覧端末を含み、管理サーバは、閲覧端末からの写真画像の閲覧要求に対して写真画像を表示する写真画像表示画面を生成し、生成した写真画像表示画面を閲覧端末に提供するものであることにより、閲覧端末からの写真画像の閲覧要求に対して、管理サーバは現場情報が埋め込まれたオリジナルの写真画像そのものを提供することなく、写真画像を表示する写真画像表示画面が生成されて提供されるので、写真画像表示画面が漏洩したとしても、その写真画像表示画面に現場情報は埋め込まれていないため、真正ではないことを証明することができる。
【００１７】
（３）管理サーバと通信ネットワークを通じて接続可能な管理端末を含み、管理サーバは、管理端末からの報告書作成要求に対して、写真画像および当該写真画像に埋め込まれた現場情報を組み合わせた報告書を表示する報告書表示画面を生成し、生成した報告書表示画面を管理端末に提供するものであることにより、管理端末からの報告書作成要求に対して、管理サーバは現場情報が埋め込まれたオリジナルの写真画像そのものを提供することなく、写真画像および当該写真画像に埋め込まれた現場情報を組み合わせた報告書を表示する報告書表示画面が作成されて提供されるので、報告書表示画面が漏洩したとしても、その報告書表示画面に現場情報は埋め込まれていないため、真正ではないことを証明することができる。
【００１８】
（４）通信ネットワークがインターネットから遮断された公衆閉域ネットワークであることにより、管理サーバと携帯端末、閲覧端末や管理端末等との通信が安全に行われるので、外部への漏洩が防止され、情報の改ざんも防止することができる。
【図面の簡単な説明】
【００１９】
【図１】本発明の実施の形態における現場管理システムの全体構成図である。
【図２】携帯端末による現場写真の撮影フローを示す図である。
【図３】携帯端末による画像閲覧フローを示す図である。
【図４】管理端末による報告書作成フローを示す図である。
【図５】携帯端末による現場写真撮影時の画面遷移図である。
【図６】報告書表示画面の例を示す図である。
【図７】報告書表示画面の例を示す図である。
【発明を実施するための形態】
【００２０】
図１は本発明の実施の形態における現場管理システムの全体構成図である。図１において、本発明の実施の形態における現場管理システム１は、工事現場において撮影された現場写真を管理する管理サーバ２を構成する認証サーバ２ａ、画像サーバ２ｂおよび画面生成サーバ２ｃと、工事現場においてユーザーが使用するスマートフォン等の携帯端末３と、工事現場の現場事務所において使用されるパーソナルコンピュータ等の現場用の管理端末４とから構成される。なお、本実施形態においては、管理サーバ２を認証サーバ２ａ、画像サーバ２ｂおよび画面生成サーバ２ｃの３つのサーバにより構成しているが、１つのサーバに統合したり、さらに複数のサーバに細分化したりすることも可能である。
【００２１】
認証サーバ２ａ、画像サーバ２ｂ、画面生成サーバ２ｃ、携帯端末３および管理端末４は、インターネットから遮断された公衆閉域ネットワーク５により接続される。公衆閉域ネットワーク５は、例えば、ＩＴＵ−Ｔ（国際電気通信連合 電気通信標準化部門）で標準化されたＮＧＮ（次世代ネットワーク）、携帯電話網、ＩＥＥＥ（The Institute of Electrical and Electronics Engineers, Inc.）の８０２．１６委員会が標準化作業を進めているＷｉＭＡＸ（World Interoperability for Microwave Access）、日本全国の大学、研究機関等の学術情報基盤として、国立情報学研究所（ＮＩＩ：National Institute of Informatics）が構築、運用している学術情報ネットワーク等のプライベートネットワークを利用することが可能である。なお、本実施形態においては、認証サーバ２ａ、画像サーバ２ｂ、画面生成サーバ２ｃおよび管理端末４は、公衆閉域ネットワーク５としてのＮＧＮに直接接続され、携帯端末３は公衆閉域ネットワーク５としての携帯電話網を介してＮＧＮに接続されている。
【００２２】
認証サーバ２ａは、携帯端末３および管理端末４のユーザーをＩＤやパスワード等により認証するサーバである。画像サーバ２ｂは、認証サーバ２ａにより認証された携帯端末３から送信された写真画像を登録し、管理するサーバである。画面生成サーバ２ｃは、認証サーバ２ａにより認証された携帯端末３および管理端末４からの写真画像の閲覧要求や報告書作成要求に対して、画像サーバ２ｂから写真画像を取得し、写真画像を表示する写真画像表示画面や、写真画像および当該写真画像に埋め込まれた後述するメタ情報を組み合わせた報告書を表示する報告書表示画面等を生成し、生成した画面イメージのみを提供するサーバである。
【００２３】
携帯端末３は、本現場管理システムを利用するための携帯端末用の現場管理アプリケーションプログラムがインストールされたものである。この現場管理アプリケーションプログラムは、携帯端末３に備えられたカメラ装置（図示せず。）によって撮影された写真画像に現場情報をメタ情報として埋め込んで、管理サーバ２を構成する画像サーバ２ｂに送信した後、写真画像を自動的に削除する手段として携帯端末３を機能させるための携帯端末用プログラムである。カメラ装置によって撮影された写真画像は、メタ情報が埋め込まれて、携帯端末３に備えられた記憶装置（図示せず。）に一時記憶され、管理サーバ２ｂに送信された後、メタ情報とともに記憶装置から自動的に削除される。
【００２４】
写真画像にメタ情報として埋め込まれる現場情報は、工事現場の位置情報や工事現場に関する諸情報等である。また、写真画像には、携帯端末３に備えられた時計やＧＰＳ（Global Positioning System）等により取得した撮影時刻や測位情報等の撮影情報も埋め込まれる。また、本実施形態における携帯端末用の現場管理アプリケーションプログラムは、携帯端末３から管理サーバ２に対して写真画像の閲覧要求を行うとともに、この写真画像の閲覧要求に対して管理サーバ２の画面生成サーバ２ｃから提供された写真画像表示画面を表示する閲覧端末として携帯端末３を機能させる。
【００２５】
管理端末４は、本現場管理システムを利用するための管理端末用の現場管理アプリケーションプログラムがインストールされたものである。管理端末用の現場管理アプリケーションプログラムは、管理端末４から管理サーバ２に対して写真画像の閲覧要求を行うとともに、この写真画像の閲覧要求に対して管理サーバ２の画面生成サーバ２ｃから提供された写真画像表示画面を表示する閲覧端末として管理端末４を機能させる。また、この管理端末用の現場管理アプリケーションプログラムは、管理端末４からの管理サーバ２に対して報告書作成要求を行うとともに、この報告書作成要求に対して、画面生成サーバ２ｃから提供された報告書表示画面を管理端末４に表示させる。
【００２６】
次に、上記構成の現場管理システムによる安全管理の流れについて説明する。図２は携帯端末３による現場写真の撮影フローを示す図、図３は携帯端末３による画像閲覧フローを示す図、図４は管理端末４による報告書作成フローを示す図、図５は携帯端末３による現場写真撮影時の画面遷移図である。
【００２７】
〔現場写真の撮影フロー〕
図２において、工事現場のユーザーは携帯端末３を操作して、図５（ａ）に示すユーザー選択画面からユーザー選択を行い（Ｓ１０１）、ＩＤおよびパスワードを入力する（Ｓ１０２）。携帯端末３は、公衆閉域ネットワーク５である携帯電話網およびＮＧＮを介して認証サーバ２ａにアクセスし、入力されたＩＤおよびパスワードを用いて認証要求を行い（Ｓ１０３）、認証サーバ２ａは認証を行う（Ｓ１０４）。この認証により、携帯端末３を操作するユーザー（撮影者）が、真正なユーザーであることが確認される。
【００２８】
次に、携帯端末３は、携帯端末３に備えられた時計およびＧＰＳ（Global Positioning System）により現場情報としての撮影時刻および測位情報を自動入力する（Ｓ１０５）。次に、ユーザーは、携帯端末３へ現場情報としての工事現場の位置情報として撮影場所および工事現場に関する諸情報として撮影目的の選択入力を行う（Ｓ１０６）。撮影場所および撮影目的は、図５（ｂ）に示すように予め登録されたリストの中からの選択入力の他、同図（ｃ）に示すように新たに選択入力項目を追加することも可能である。また、ユーザーは、同図（ｄ）に示すように現場情報としての工事現場に関する諸情報として任意にコメント自由文を入力することが可能である（Ｓ１０７）。
【００２９】
その後、ユーザーは図５（ｅ），（ｆ）に示すように携帯端末３のカメラ装置によって現場写真を撮影する（Ｓ１０８）。携帯端末３は、この撮影された写真画像に現場情報をメタ情報として埋め込み（Ｓ１０９）、図５（ｇ）に示すように、メタ情報が埋め込まれた写真画像を携帯電話網およびＮＧＮを介して画像サーバ２ｂへ送信する（Ｓ１１０）。このとき、携帯端末３は、送信が成功するまでバックグラウンドで再処理を行い（Ｓ１１１）、同図（ｈ）に示すように画像サーバ２ｂから返信される送信結果が成功であれば、携帯端末３からメタ情報が埋め込まれた写真画像を削除する（Ｓ１１２）。
【００３０】
そして、同一条件で再撮影を行う場合には、ステップＳ１０８に戻り、現場写真の撮影以下の処理を繰り返す（Ｓ１１３）。一方、条件を変更する場合には、ステップＳ１０６に戻り、現場情報としての工事現場の位置情報として撮影場所および工事現場に関する諸情報として撮影目的の選択入力（Ｓ１０６）と、現場情報としての工事現場に関する諸情報として任意にコメント自由文を入力（Ｓ１０７）してから、現場写真の撮影以下の処理を繰り返す。
【００３１】
〔画像閲覧フロー〕
図３において、ユーザーは携帯端末３を操作してユーザー選択を行い（Ｓ２０１）、ＩＤおよびパスワードを入力する（Ｓ２０２）。携帯端末３は、公衆閉域ネットワーク５である携帯電話網およびＮＧＮを介して認証サーバ２ａにアクセスし、入力されたＩＤおよびパスワードを用いて認証要求を行い（Ｓ２０３）、認証サーバ２ａは認証を行う（Ｓ２０４）。この認証により、携帯端末３を操作するユーザーが、真正なユーザーであることが確認される。なお、この認証結果は、画面生成サーバ２ｃおよび画像サーバ２ｂとも連携される。
【００３２】
次に、ユーザーが携帯端末３を操作して画像表示機能選択を行うと（Ｓ２０５）、携帯端末３から画面生成サーバ２ｃへ写真画像の閲覧要求（画面生成要求）がなされる（Ｓ２０６）。画面生成サーバ２ｃは、この画面生成要求に対して、画像検索画面を生成し、携帯端末３に提供する（Ｓ２０７）。そして、ユーザーが、携帯端末３に表示された画像検索画面に撮影者や撮影場所等の画像検索条件を入力すると（Ｓ２０８）、携帯端末３から画面生成サーバ２ｃへ検索条件が送信される（Ｓ２０９）。画面生成サーバ２ｃは、この送信された検索条件に基づき、画像サーバ２ｂから検索条件を満たすメタ情報を有する写真画像を取得し、写真画像一覧画面を生成し、携帯端末３に提供する（Ｓ２１０）。
【００３３】
ユーザーが、携帯端末３に表示された写真画像一覧画面の中から所望の画像を選択すると（Ｓ２１１）、携帯端末３から画面生成サーバ２ｃへ選択結果が送信される（Ｓ２１２）。画面生成サーバ２ｃは、この選択結果に基づいて画像サーバ２ｂから該当する写真画像を取得し、その写真画像を表示する写真画像表示画面を生成し、携帯端末３に提供する（Ｓ２１３）。そして、携帯端末３は、この写真画像表示画面を表示する（Ｓ２１４）。
【００３４】
なお、ユーザーは、この写真画像表示画面から任意にコメント自由文を編集することも可能であるが（Ｓ２１５）、このコメント自由文の編集は、携帯端末３のキー入力情報が画面生成サーバ２ｃへ送信されるだけであり（Ｓ２１６）、画面生成サーバ２ｃによって画像サーバ２ｂ内の写真画像に埋め込まれたコメント自由文の編集がなされる。編集結果は、画面生成サーバ２ｃによって表示画面が生成され、携帯端末３に提供される（Ｓ２１７）。なお、管理端末４からの画像閲覧についても同様の手順で行われる。
【００３５】
〔報告書作成フロー〕
図４において、ユーザーは管理端末４を操作してユーザー選択を行い（Ｓ３０１）、ＩＤおよびパスワードを入力する（Ｓ３０２）。管理端末４は、公衆閉域ネットワーク５であるＮＧＮを介して認証サーバ２ａにアクセスし、入力されたＩＤおよびパスワードを用いて認証要求を行い（Ｓ３０３）、認証サーバ２ａは認証を行う（Ｓ３０４）。この認証により、管理端末４を操作するユーザーが、真正なユーザーであることが確認される。なお、この認証結果は、画面生成サーバ２ｃおよび画像サーバ２ｂとも連携される。
【００３６】
次に、ユーザーが管理端末４を操作して報告書作成機能選択を行うと（Ｓ３０５）、管理端末４から画面生成サーバ２ｃへ報告書作成要求（画面生成要求）がなされる（Ｓ３０６）。画面生成サーバ２ｃは、この画面生成要求に対して、報告書作成画面を生成し、管理端末４に提供する（Ｓ３０７）。そして、ユーザーが、管理端末４に表示された報告書作成画面に報告書作成者、報告日時やタイトル等の基本情報を入力すると（Ｓ３０８）、管理端末４から画面生成サーバ２ｃへ入力内容が送信される（Ｓ３０９）。この入力内容の送信は、管理端末４のキー入力情報が画面生成サーバ２ｃへ送信されるだけであり、入力画面は画面生成サーバ２ｃによって生成されて、管理端末４へ提供される（Ｓ３１０）。
【００３７】
次に、ユーザーは管理端末４を操作して報告書に添付する写真画像を選択する（Ｓ３１１）。なお、詳細な説明は省略するが、写真画像の選択は、前述した画像閲覧フローと同様の処理による。そして、ユーザーによる写真画像の選択結果は、管理端末４から画面生成サーバ２ｃへ送信される（Ｓ３１２）。画面生成サーバ２ｃは、この選択結果に基づいて画像サーバ２ｂから該当する写真画像を取得し、その写真画像を表示する写真画像表示画面を生成し、管理端末４に提供する（Ｓ３１３）。そして、管理端末４は、この写真画像表示画面を表示する（Ｓ２１４）
【００３８】
また、ユーザーは、任意にコメント自由文を編集することが可能である（Ｓ３１４）。コメント自由文の編集は、管理端末４のキー入力情報が画面生成サーバ２ｃへ送信されるだけであり（Ｓ３１５）、画面生成サーバ２ｃによって画像サーバ２ｂ内の写真画像に埋め込まれたコメント自由文の編集がなされる。編集結果は、画面生成サーバ２ｃによって表示画面が生成され、管理端末に提供される（Ｓ３１６）。
【００３９】
そして、ユーザーが管理端末４から報告書印刷を指示すると（Ｓ３１７）、印刷指示が管理端末４から画面生成サーバ２ｃへ送信される（Ｓ３１８）。画面生成サーバ２ｃは、ステップＳ３０８において入力された基本情報、ステップＳ３１１において選択された写真画像およびその写真画像に埋め込まれたメタ情報を組み合わせた報告書を表示する報告書表示画面（印刷イメージ）を生成し、生成した報告書表示画面を管理端末４に提供する（Ｓ３１９）。図６および図７は報告書表示画面の例を示している。
【００４０】
以上のように、本実施形態における現場管理システムでは、工事現場において携帯端末３により現場写真を撮影すると、撮影された写真画像に現場情報がメタ情報として埋め込まれて管理サーバ２に送信された後、携帯端末３内の写真画像が自動的に削除される。これにより、現場写真は携帯端末３内には一切残らず、現場情報と一体不可分の状態で管理サーバ２によって厳重に管理され、携帯端末３が紛失したとしても情報の漏洩や改ざんが防止される。
【００４１】
また、本実施形態における現場管理システムでは、現場写真の撮影の際、撮影前にメタ情報として埋め込む現場情報の入力を行うため、写真画像に必ずメタ情報が埋め込まれることが保証されるが、現場写真の撮影の後に現場情報の入力を行う構成とすることも可能である。さらに、メタ情報として、携帯端末３により音声メモを入力して埋め込む構成とすることも可能である。
【００４２】
また、管理サーバ２は、携帯端末３や管理端末４等の閲覧端末からの写真画像の閲覧要求に対して、現場情報が埋め込まれたオリジナルの写真画像そのものを提供せずに、写真画像を表示する写真画像表示画面を生成し、生成した写真画像表示画面のみを閲覧端末に提供するので、写真画像表示画面が漏洩したとしても、その写真画像表示画面に現場情報は埋め込まれておらず、真正ではないことを証明することができる。
【００４３】
また、管理サーバ２は、管理端末４からの報告書作成要求に対しても、現場情報が埋め込まれたオリジナルの写真画像そのものを提供せずに、写真画像および当該写真画像に埋め込まれた現場情報を組み合わせた報告書を表示する報告書表示画面を生成し、生成した報告書表示画面を管理端末４に提供するので、報告書表示画面が漏洩したとしても、その報告書表示画面に現場情報は埋め込まれていないため、真正ではないことを証明することができる。
【００４４】
また、本実施形態においては、認証サーバ２ａ、画像サーバ２ｂ、画面生成サーバ２ｃ、携帯端末３および管理端末４がインターネットから遮断された公衆閉域ネットワーク５により接続されており、これらの間に通信が安全に行われるので、外部への漏洩が防止され、情報の改ざんも防止することができる。
【産業上の利用可能性】
【００４５】
本発明の現場管理システムは、現場写真を撮影し、報告書を作成することにより、工事現場における安全管理を支援するシステムとして有用である。
【符号の説明】
【００４６】
１  現場管理システム
２  管理サーバ
２ａ  認証サーバ
２ｂ  画像サーバ
２ｃ  画面生成サーバ
３  携帯端末
４  管理端末
５  公衆閉域ネットワーク
【図１】
0006296270.tif 000002
【図２】
0006296270.tif 000003
【図３】
0006296270.tif 000004
【図４】
0006296270.tif 000005
【図５】
0006296270.tif 000006
【図６】
0006296270.tif 000007
【図７】
0006296270.tif 000008